(57)【特許請求の範囲】
【請求項１】
方形状の基板の対向する側端の一方に突条部を有する雄実が形成され、側端の他方に、隣接配置される基板の突条部と嵌合可能な凹溝部を有する雌実が形成された木質床材であって、
前記突条部には、前記基板の厚み方向に窪む凹部が形成され、
前記基板の表面に第１の機能性シート、裏面に第２の機能性シートが配設されて、前記突条部の前記凹部が前記第１の機能性シートおよび／または第２の機能性シートによって被覆されるとともに、第１の機能性シートの端部と、第２の機能性シートの端部とが前記凹部内に収納されていることを特徴とする木質床材。
【請求項２】
前記基板が、パーティクルボード、ＭＤＦ、ＯＳＢのいずれかであることを特徴とする請求項１に記載の木質床材。
【請求項３】
前記第１の機能性シートが化粧シートであり、前記第２の機能性シートが防湿シートであることを特徴とする請求項１または２に記載の木質床材。
【請求項４】
前記突条部の前記凹部は少なくとも表面側に形成されており、前記第１の機能性シートの端部は前記凹部内に収納されているとともに、前記第２の機能性シートは、前記突条部の裏面側および先端部を被覆して、その端部が前記凹部内に収納されていることを特徴とする請求項１から３のいずれか一項に記載の木質床材。
【発明の詳細な説明】
【技術分野】
【０００１】
本発明は、木質床材に関する。
【背景技術】
【０００２】
従来、木質合板、パーティクルボードやＭＤＦなどの木質板からなる基板（芯材）の側端に実部（雄実、雌実）を形成し、基板の表面に、突板や合成樹脂などからなる化粧シートを貼着した木質床材が知られている。
【０００３】
例えば、特許文献１には、基板（床基材）の表裏面だけでなく、実部を含んだ全面が防湿シートで被覆され、表面に木質化粧単板が貼着された木質床材が提案されている。この木質床材では、基板の木口からの湿気の浸透を抑制することができ、湿気による床材の反り、目隙、突き上げなどを抑制することができる。
【先行技術文献】
【特許文献】
【０００４】
【特許文献１】特開2000−274054号公報
【発明の概要】
【発明が解決しようとする課題】
【０００５】
特許文献１の木質床材は、表面に木質化粧単板が貼着されているが、木質化粧単板からの湿気の浸透をも抑制するために、例えば、この木質化粧単板に代えて、基板の表面に合成樹脂などからなる防湿性の化粧シートを貼着する形態も考えられる。この場合、化粧シートと、基板の木口（実部）からの湿気の浸透を抑制するための防湿シートとが併用されることになる。
【０００６】
木質床材の表面に化粧シート、木口（実部）および裏面に防湿シートが貼着された場合、木質床材同士を実結合（雄雌嵌合）させた際に、実部を被覆している防湿シートの端部が捲れ上ってしまう恐れがある。そして、防湿シートの端部が捲れ上ってしまうと、実部における湿気の浸透を抑制することが難しいという問題がある。
【０００７】
また、意匠性の観点からは、表面側の化粧シートが木質床材の側端（実部付近）まで被覆していることが望ましい。しかしながら、この場合も同様に、木質床材同士の実結合（雄雌嵌合）によって、化粧シートの端部が捲れ上ってしまう恐れがあり、意匠性に悪影響を与える場合もあると考えられる。
【０００８】
本発明は、以上の通りの事情に鑑みてなされたものであり、基板の表裏面に貼着された防湿シート、化粧シートなどの機能性シートの捲れ上がりが抑制された木質床材を提供することを課題としている。
【課題を解決するための手段】
【０００９】
上記の課題を解決するために、本発明の木質床材は、方形状の基板の対向する側端の一方に突条部を有する雄実が形成され、側端の他方に、隣接配置される基板の突条部と嵌合可能な凹溝部を有する雌実が形成された木質床材であって、前記突条部には、前記基板の厚み方向に窪む凹部が形成され、前記基板の表面に第１の機能性シート、裏面に第２の機能性シートが配設されて、前記突条部の前記凹部が前記第１の機能性シートおよび／または第２の機能性シートによって被覆されるとともに、第１の機能性シートの端部と、第２の機能性シートの端部とが前記凹部内に収納されていることを特徴としている。
【００１０】
この木質床材においては、前記基板が、パーティクルボード、ＭＤＦ、ＯＳＢのいずれかであることが好ましい。
【００１１】
この木質床材においては、前記第１の機能性シートが化粧シートであり、前記第２の機能性シートが防湿シートであることがより好ましい。
【００１２】
この木質床材においては、前記突条部の前記凹部は少なくとも表面側に形成されており、前記第１の機能性シートの端部は前記凹部内に収納されているとともに、前記第２の機能性シートは、前記突条部の裏面側および先端部を被覆して、その端部が前記凹部内に収納されていることが好ましい。
【発明の効果】
【００１３】
本発明の木質床材によれば、木質床材の実結合（雄雌嵌合）の際における、機能性シートの捲れ上がりを抑制することができる。
【図面の簡単な説明】
【００１４】
【図１】本発明の木質床材の一実施形態を例示した断面概略図および部分拡大図である。
【図２】（Ａ）は、図１に例示した木質床材を実結合（雄雌嵌合）させる前の状態を例示した断面概略図であり、（Ｂ）は、図１に例示した木質床材を実結合（雄雌嵌合）させた状態を例示した断面概略図である。
【図３】本発明の木質床材の別の実施形態を例示した断面概略図および部分拡大図である。
【図４】本発明の木質床材のさらに別の実施形態を例示した断面概略図および部分拡大図である。
【発明を実施するための形態】
【００１５】
図１は、本発明の木質床材の一実施形態を例示した断面概略図および部分拡大図である。
【００１６】
木質床材１は、基板２と、基板２の表面に貼着された第１の機能性シート３と、基板２の裏面に貼着された第２の機能性シート４とを有している。
【００１７】
基板２の材料としては、パーティクルボード、ＭＤＦ（medium density fiberboard）、ＯＳＢ(配向性ストランドボード)などの木質系材料を例示することができる。これらの木質系材料は、実の部分の強度が、無垢材と比較して低い材料であるが、実加工などを施しやすい材料である。
【００１８】
基板２は、平面視方形状であり、対向する側端の一方に突条部５を有する雄実Ｐが形成されている。また、対向する側端の他方には、突条部５と嵌合可能な凹溝部６を有する雌実Ｑが形成されている。雄実Ｐと雌実Ｑは、基板２の四側端の全面に形成することができるが、特にこれに限定されることはなく、一部の側端にのみ形成することもできる。
【００１９】
雄実Ｐの突条部５の表面側の基端部付近には、内側への切り込み溝７が形成されている。この切り込み溝７は、基板２（木質床材１）同士を実結合（雄雌嵌合）させたときに断面略三角形状の中空部が形成されるように加工されている。このため、例えば、基板２（木質床材１）の端部付近に釘打ちしたときに、釘の頭が断面略三角形状の中空部に収納され、基板２（木質床材１）同士をより確実に実結合（雄雌嵌合）させることができる。また、連続配置した木質床材１にワックスなどをかけたとき、木質床材１同士の連結部からワックスが侵入する場合があるが、このような場合にも、侵入したワックスは、切り込み溝７によって形成される断面略三角形状の中空部に留まる。このため、連結部付近の床面の膨れなどを抑制することができる。
【００２０】
さらに、雄実Ｐの突条部５には、基板２の厚み方向に窪む凹部５１が形成されている。凹部５１は、突条部５の基端部から中央付近までの領域において、表面側および裏面側に形成されており、この部分の厚みが、突条部５の先端部５２付近と比較して薄く形成されている。そして、表面側の凹部５１aの深さは、第１の機能性シート３の厚みと同等またはそれ以上となっており、裏面側の凹部５１bの深さは、第２の機能性シート４の厚みと同等またはそれ以上となっている。
【００２１】
雄実Ｐの突条部５の先端部５２は、面取り加工が施されており、雌実Ｑの凹溝部６内への挿入が容易とされている。
【００２２】
雌実Ｑの凹溝部６は、表面側縁部６１、裏面側縁部６２、溝底部６aを有している。雌実Ｑの凹溝部６の溝深さは、突条部５の突出長さと略等しく、雌実Ｑの凹溝部６の溝幅は、突条部５の先端部５２付近（凹部５１を除く領域）の厚みと略等しく形成されている。また、雌実Ｑの凹溝部６は、裏面側縁部６２の先端側が裏面方向に向かって傾斜している。このため、雌実Ｑの凹溝部６の溝幅は、先端側がやや拡開しており、雄実Ｐの突条部５の雌実Ｑの凹溝部６内への挿入が容易とされている。
【００２３】
また、基板２の表面側には、中央付近にＶ溝２１が形成されている。さらに、雄実Ｐと雌実Ｑが形成されている基板２の端部表面には、切欠部８が形成されている。切欠部８は、基板２（木質床材１）の雄実Ｐと雌実Ｑとを実結合（雄雌嵌合）させたときに、切欠部８同士が対向して、中央付近のＶ溝２１と略同形状の溝が形成されるように加工されている。
【００２４】
基板２には、表面側に第１の機能性シート３が貼着され、裏面側に第２の機能性シート４が貼着されている。ここで、「機能性シート」とは、木質床材１の設置環境などに応じて求められる防湿性、意匠性、調湿性、防腐性などの所望の機能が付与されたシートを言う。
【００２５】
表面側の第１の機能性シート３は、意匠性に優れた化粧シートであることが好ましく、例えば、各種の木目模様などが施され、防湿機能を有する合成樹脂製の化粧シートを例示することができる。化粧シートの材料の合成樹脂としては、例えば、ポリプロピレン、ポリエチレン、ポリ塩化ビニルなどを好ましく例示することができる。また、化粧シートの厚みは、例えば、１００μｍ〜１．０ｍｍ程度の範囲を好ましく例示することができる。
【００２６】
裏面側の第２の機能性シート４は、防湿シートであることが好ましく、例えば、ポリプロピレン、ポリエチレン、ポリ塩化ビニルなどの合成樹脂製シートあるいはフィルム、または、アルミ箔などの金属薄膜シートなどを例示することができる。また、これらの防湿シートは、防湿性の観点から、例えば、透湿度（水蒸気透過度）が、５０ｇ／ｍ２・２４ｈ以下のものを一応の目安とすることができる。また、防湿シートの厚みは、例えば、５０μｍ〜０．５ｍｍ程度の範囲を好ましく例示することができる。
【００２７】
基板２への第１の機能性シート３および第２の機能性シート４の貼着方法は、特に限定されず、公知の方法によって行うことができる。具体的には、例えば、第１の機能性シート３、第２の機能性シート４が合成樹脂製である場合には、合成樹脂を熱融着させることによって行うことができる。具体的には、例えば、ポリプロピレンの場合は１８０℃前後で熱融着し、ポリエチレンの場合は１２０℃前後で熱融着することができる。この際、傾斜角度を順次変化させながら基板２の形状に合わせて機能性シートを貼着するラッピングマシンなどを適宜利用することもできる。また、ウレタン樹脂接着剤、メラミン樹脂接着剤などの木材用接着剤を使用して第１の機能性シート３および第２の機能性シート４を貼着することもできる。
【００２８】
第１の機能性シート３は、基板２の表面のＶ溝２１にも密着しており、基板２の側端の雄実Ｐ、雌実Ｑにまで貼着されている。
【００２９】
具体的には、雄実Ｐ側においては、第１の機能性シート３は、基板２の表面から側端へと回り込んで、切り込み溝７および突条部５に形成された表面側の凹部５１aを被覆している。そして、雄実Ｐ側の第１の機能性シート３の端部３aは、突条部５に形成された表面側の凹部５１a内に収納されており、突条部５の先端部５２の内側に位置している。また、雌実Ｑ側においては、第１の機能性シート３は、基板２の表面から側端へと回り込んで凹溝部６を形成する表面側縁部６１の内側を覆っている。雌実Ｑ側の第１の機能性シート３の端部３bは、表面側縁部６１と凹溝部６の溝底部６aとの接合部付近に位置している。
【００３０】
第２の機能性シート４は、基板２の側端の雄実Ｐ、雌実Ｑにまで貼着されている。
【００３１】
具体的には、雄実Ｐ側においては、第２の機能性シート４は、基板２の裏面から側端へと回り込んで、突条部５に形成された裏面側の凹部５１bを被覆している。そして、雄実Ｐ側の第２の機能性シート４の端部４aは、突条部５に形成された下側の凹部５１内に収納されており、突条部５の先端部５２の内側に位置している。また、雌実Ｑ側においては、第２の機能性シート４は、裏面から側端へと回り込んで凹溝部６を形成する裏面側縁部６２の内側を覆っている。雌実Ｑ側の第２の機能性シート４の端部４bは、裏面側縁部６２と凹溝部６の溝底部６aとの接合部付近に位置している。
【００３２】
第２の機能性シート４が防湿シートである場合、木質床材１は、裏面および側端における湿気の浸透を抑制することができ、湿気による木質床材１の反り、目隙、突き上げなどを抑制することができる。さらに、例えば、第１の機能性シート３が、防湿機能を有する化粧シートである場合には、木質床材１は、表面および側端における湿気の浸透をより効果的に抑制することができる。
【００３３】
図２（Ａ）は、図１に例示した木質床材を実結合（雄雌嵌合）させる前の状態を例示した断面概略図であり、図２（Ｂ）は、図１に例示した木質床材を実結合（雄雌嵌合）させた状態を例示した断面概略図である。
【００３４】
図２（Ａ）に例示したように、木質床材１は、雄実Ｐ側の第１の機能性シート３の端部３aが、突条部５に形成された表面側の凹部５１a内に収納されて突条部５の先端部５２の内側に位置している。また、雄実Ｐ側の第２の機能性シート４の端部４aが、突条部５に形成された裏面側の凹部５１b内に収納されて、突条部５の先端部５２の内側に位置している。このため、突条部５の先端部５２によって、第１の機能性シート３の端部３aおよび第２の機能性シート４の端部４aが基板２の厚み方向に隠れた状態となる。したがって、図２（Ｂ）に例示したように、雌実Ｑの凹溝部６内に雄実Ｐの突条部５を挿入する際に、雄実Ｐ側の第１の機能性シート３の端部３aおよび第２の機能性シート４の端部４aが凹溝部６の表面側縁部６１および裏面側縁部６２と接触し難い。このため、雄実Ｐ側の第１の機能性シート３の端部３aおよび第２の機能性シート４の端部４aが捲れ上がることが抑制されている。
【００３５】
さらに、図２（Ａ）に例示したように、木質床材１は、雌実Ｑ側の第１の機能性シート３の端部３b、第２の機能性シート４の端部４bが、それぞれ、表面側縁部６１および裏面側縁部６２を被覆し、凹溝部６の溝底部６aとの接合部付近に位置している。このため、雌実Ｑ側の第１の機能性シート３の端部３bおよび第２の機能性シート４の端部４bは、基板２の側端の内側方向を向いている。したがって、図２（Ｂ）に例示したように、雌実Ｑの凹溝部６内に雄実Ｐの突条部５を挿入する際に、雌実Ｑ側の第１の機能性シート３の端部３bおよび第２の機能性シート４の端部４bが捲れ上がることが抑制されている。
【００３６】
このように、木質床材１は、雄実Ｐ側、雌実Ｑ側の両方の側端において、第１の機能性シート３の端部３a、３bおよび、第２の機能性シート４の端部４a、４bが捲れ上がることが抑制されている。このため、第１の機能性シート３および第２の機能性シート４の防湿性、意匠性などの機能を確実に実現することができる。また、第１の機能性シート３の端部３a、３bおよび、第２の機能性シート４の端部４a、４bが捲れ上がることが抑制されていることで、実結合（雄雌嵌合）の安定性も向上させることができる。
【００３７】
図３は、本発明の木質床材の別の実施形態を例示した断面概略図および部分断面図である。図３において、図１、図２と共通する部分には同一の符号を付し、以下では説明は省略する。
【００３８】
雄実Ｐ側の第１の機能性シート３の端部３aは、突条部５に形成されている表面側の凹部５１a内に収納されている。一方、雄実Ｐ側の第２の機能性シート４は、突条部５の裏面側の凹部５１bおよび先端部５２を被覆して表面側へ回り込み、その端部４aが表面側の凹部５１a内に収納されて第１の機能性シート３の端部３aと対向している。
【００３９】
突条部５の先端部５２によって、表面側の凹部５１a内に位置する第１の機能性シート３の端部３a、第２の機能性シート４の端部４aが基板２の厚み方向に隠れた状態となっている。このため、雌実Ｑの凹溝部６内に雄実Ｐの突条部５を挿入する際に、凹溝部６を形成する表面側縁部６１によって、雄実Ｐ側の第１の機能性シート３の端部３aおよび第２の機能性シート４の端部４aが捲れ上がることが抑制されている。また、第２の機能性シート４によって突条部５の先端部５２全体が覆われて補強されているため、パーティクルボード、ＭＤＦ、ＯＳＢなどの実の部分の強度が、無垢材と比較して低い材料であっても、実の強度が高くなっている。
【００４０】
図４は、本発明の木質床材のさらに別の実施形態を例示した断面概略図および部分断面図である。図４において、図１、図２と共通する部分には同一の符号を付し、以下では説明は省略する。
【００４１】
雄実Ｐ側の第１の機能性シート３の端部３aは、突条部５に形成されている表面側の凹部５１a内に収納されている。一方、雄実Ｐ側の第２の機能性シート４は、突条部５の裏面側の凹部５１bおよび先端部５２を被覆して表面側へ回り込み、その端部４aが表面側の凹部５１a内に収納されて第１の機能性シート３の端部３aの上側（表面側）に重なって位置している。
【００４２】
この形態によっても、突条部５の先端部５２によって、表面側の凹部５１a内に位置する第１の機能性シート３の端部３aおよび第２の機能性シート４の端部４aが基板２の厚み方向に隠れた状態となる。このため、雌実Ｑの凹溝部６内に雄実Ｐの突条部５を挿入する際に、凹溝部６を形成する表面側縁部６１によって、雄実Ｐ側の第１の機能性シート３の端部３aおよび第２の機能性シート４の端部４aが捲れ上がることが抑制されている。
【００４３】
本発明の木質床材は、以上の形態に限定されることはない。例えば、雄実における突条部の凹部の形状、形成位置などは適宜設計することができ、例えば、凹部を表面側にのみ設け、裏面側への配設を省略することもできる。また、雄実の突条部、雌実の凹溝部の形状、寸法などは、機能性シートの厚みなどを考慮して、安定的な実結合が妨げられない範囲で適宜設計することができる。
【符号の説明】
【００４４】
１  木質床材
２  基板
３  第１の機能性シート
４  第２の機能性シート
５  突条部
５１  凹部
６  凹溝部
Ｐ  雄実
Ｑ  雌実
【図１】
0005764744.tif 000002
【図２】
0005764744.tif 000003
【図３】
0005764744.tif 000004
【図４】
0005764744.tif 000005